(57)【要約】【課題】鍵の管理に関する負担を軽減して無駄な労力を低減し内部処理の効率を向上させ、多くの様々な人員を要する所要の団体や会社内で機密情報等を確実に保護する。【解決手段】操作入力部１１を介するパスワードの入力、及びロック、アンロックの操作指令の入力に対応して、パスワードの正誤の認識、及び施錠・解錠ソフトに基づいてロック、またはアンロックの制御信号を出力する制御部１５を備えるＰＣ１を用いて成る。更にケーブル６を介する上記ロック、またはアンロックの制御信号の入力に基づいて収納ボックス２等の引出しボックス２ａ，２ｂ，２ｃやデスクの引出し、または所要の機材等の施錠動作、または解錠動作を行う施錠・解錠機構６を備えて成る。施錠・解錠機構６は、例えば停電時における鍵による強制的な解錠操作でロック状態を解放できるようにしてある。【選択図】      図１
2004190351.tif 000002
【特許請求の範囲】
【請求項１】
操作入力部を介するパスワードの入力、及びロック、アンロックの操作指令の入力に対応してパスワードの正誤を認識し、かつ施錠・解錠ソフトに基づいてロック、乃至アンロックの制御信号を出力する制御部を備えて成り、
更に、収納ボックスや所要の機材等に対し上記ロック、乃至アンロックの制御信号の入力に基づいて当該収納ボックスや所要の機材の施錠動作、乃至解錠動作を行う施錠・解錠機構を備えて成ることを特徴とする電子ロックシステム。
【請求項２】
上記操作入力部がキーボード、マウス機構及び画像表示部に関連する構成、もしくはタッチパネル及び画像表示部に関連する構成から成ることを特徴とする請求項１記載の電離ロックシステム。
【請求項３】
上記制御部を備えて成る装置がパーソナルコンピュータ、ポケットコンピュータ、乃至は施錠・解錠用の特段の電子的専用装置であることを特徴とする請求項１または２記載の電子ロックシステム。
【請求項４】
上記施錠・解錠機構は、ハウジング内で所要の高さ位置を維持するための基板上に対し、前後の側壁面の互いに一直線上に一致する各位置に双方で一対の開口を有するとともに、当該一対の開口に上記収納ボックス内の被施錠機構の一部を成す係合体を押圧操作し得るロック操作ピンを往復移動可能に収容して成るロック操作ガイド体を設け、
上記後方側の側壁面もしくは上記基板上に対しバネ支持板を設け、当該バネ支持板と上記ロック操作ピンの上部側にあるバネ支持突起との間に水平コイルバネを装着して当該ロック操作ピンを後方側へ引き付けるとともに、当該ロック操作ピンの後方側の平板を電気モータの起動とともに間欠的に回転し得る間欠回転盤上の外周に近い位置に装着したスイッチ制御突起に対し付勢し、
上記制御部からの制御信号に応じる上記電気モータの起動で上記間欠回転盤とともに上記スイッチ制御突起を所要の回転運動の軌跡に沿った半回転の回転運動を行わせ、もって上記ロック操作ピンを上記水平コイルバネの伸縮とともに上記収納ボックスの側面の開口を通して前方移動乃至後方移動させ、
上記ロック操作ピンの前方移動のときは当該ロック操作ピンの先端で上記係合体を押圧して当該係合体を上記収納ボックス内の被施錠機構の他の一部を成す被係合体に係合させ上記施錠状態を維持し、後方移動のときは上記係合体を自ら側の復帰力で上記被係合体との係合状態を解除させ上記解錠状態を維持させるようにしたことを特徴とする請求項１乃至３の何れか記載の電子ロックシステム。
【請求項５】
上記施錠・解錠機構は、上記ロック操作ガイド体の左右に側壁面を設けるとともに揺動軸を介して基板上の揺動支持壁面と関係させ、もって当該ロック操作ガイド体を当該揺動軸を支点に垂直前後の方向に揺動自在にし、かつ上記ロック操作ガイド体の上記後方側の側壁面に対し上バネ支持板を設けて上記基板上の下バネ支持板との間に垂直コイルバネを装着し、
上記水平コイルバネを支持する上記バネ支持板の側方に対し上記ハウジング外方からの鍵の挿入を受付ける回転板付きの鍵受機構を設け、当該鍵の回転に伴って当該鍵受機構とともに回転する回転板に対し上記バネ支持板側に係合する解除突起を設け、
上記鍵の回転で上記鍵受機構の上記回転体とともに上記解除突起に所定の回転運動の軌跡に沿った回転運動を行わせ、当該解除突起が上記ロック操作ガイド体を揺動させた場合、上記ロック操作ピンの後方側の平板と上記進退作動突起との係合関係を解除させ、もって上記水平コイルバネの復帰力で上記ロック操作ピンを後方移動させるようにしたことを特徴とする請求項１乃至４の何れか記載の電子ロックシステム。
【請求項６】
上記施錠・解錠機構は、上記基板上に対し上記間欠回転盤の周側面の一部に装着したスイッチ制御突起の押圧で作動するリミットスイッチを設け、当該リミットスイッチの作動で直接的に上記電気モータの最適な回転位置及び上記ロック操作ピンの移動位置を認識し上記操作入力部の操作に対応すべく当該電気モータの動作を制御するか、もしくは当該リミットスイッチの作動で上記制御部に対し上記電気モータの最適な回転位置及び上記ロック操作ピンの移動位置を認識させ、当該制御部に上記操作入力部の操作に対応すべく当該電気モータの動作を制御させるようにしたことを特徴とする請求項１乃至５の何れか記載の電子ロックシステム。
【請求項７】
上記施錠・解錠機構は、上記間欠回転盤の周囲に対し上記ロック操作ピンの施錠動作を検出するリミットスイッチ、及び上記ロック操作ピンの解錠動作を検出するリミットスイッチを備えたことを特徴とする請求項１乃至６の何れか記載の電子ロックシステム。
【請求項８】
上記制御部は、上記操作入力部の操作に応じて所要数の収納ボックス等毎の所要数の被施錠機構に対応する所要数の施錠・解錠機構の施錠動作、乃至解錠動作を任意に行えることを特徴とする請求項１乃至７の何れか記載の電子ロックシステム。
【請求項９】
上記操作入力部を介して上記制御部が上記画像表示部上に画像表示した操作フィールド上に書込む上記パスワードの登録を変更でき、当該パスワードの変更後においても当該操作フィールド内に表示された所要のボタンをクリック操作等することで上記ロック、乃至アンロックの制御信号の出力を行えることを特徴とする請求項１乃至８の何れか記載の電子ロックシステム。
【発明の詳細な説明】
【０００１】
【発明の属する技術分野】
本発明は、パーソナルコンピュータ、ポケットコンピュータ、もしくは施錠・解錠用の電子的専用装置の画像表示部に表示した例えば操作フィールド内の所要のボタンをクリック（乃至はタッチ）することで施錠・解錠機構の動作を制御し、例えば引き出してから戻すことで書類等を収容し得る収納ボックスの被施錠機構を施錠したり解錠したりすることができる電子ロックシステムに関する。
【０００２】
【従来の技術】
従来、例えば引き出してから戻すことで書類等を収容し得る引き出し状の収納ボックスの被施錠機構を施錠したり解錠したりする場合、収納ボックス側に専用の鍵を差込操作することで収納ボックス内の被施錠機構としての一部横Ｕ字状を成すフレーム状の係合体を水平方向の回りに回動させ、これにより収容ボックス内の各引き出しボックスの側に設けられた被係合体との係合関係を操作して、施錠、解錠の操作を行っていた。多くの収納ボックスの場合は、最上方の側に設けられた被施錠機構の鍵受機構の側への鍵の差込操作で下方の縦方向に延びる上記フレーム状の係合体を回動させると、縦方向に並べて構成された複数の収容ボックス毎に設けられた被係合体との係合関係が一時に維持されたり解除されることで全ての収容ボックスを一時に施錠したり解錠したすることが可能である。
【０００３】
【発明が解決しようとする課題】
しかしながら、従来においては、各収納ボックスの構成体毎に鍵を用意して所定の管理場所に管理しなければならないため、多くの事務所等において働く作業員の資格や地位の相違等により鍵の使用が許される人や許されない人が混在する場合、鍵の管理に責任をもつ特定の人物を設定し逐一記録に残さなければならない等、鍵の管理が煩雑となるといった現状がある。特に、外部から派遣された作業員やアルバイト、パートといった人員が存在する場合等には日頃の管理に厳しく注意する必要があり、社内の情報管理に特段の労力を要する問題が生じる。
【０００４】
本発明は、上記課題に鑑み成されたものであり、鍵の管理に関する負担を軽減して無駄な労力を低減し内部処理の効率を向上させ、多くの様々な人員を要する所要の団体や会社内で機密情報等を確実に保護する観点からも進歩的に有益である電子ロックシステムを提供することを目的とする。
【０００５】
【課題を解決するための手段】
上述した課題を解決するため、本発明にあっては、操作入力部１１を介するパスワードの入力、及びロック、アンロックの操作指令の入力に対応してパスワードの正誤を認識し、かつ施錠・解錠ソフトに基づいてロック、乃至アンロックの制御信号を出力する制御部１５を備えて成り、更に、収納ボックス２や所要の機材等に対し上記ロック、乃至アンロックの制御信号の入力に基づいて当該収納ボックス２や所要の機材の施錠動作、乃至解錠動作を行う施錠・解錠機構６を備えて成ることを特徴とする。
上記操作入力部１１がキーボード、マウス機構及び画像表示部１２に関連する構成、もしくはタッチパネル及び画像表示部１２に関連する構成から成ることを特徴とする。
上記制御部１５を備えて成る装置がパーソナルコンピュータ、ポケットコンピュータ、乃至は施錠・解錠用の特段の電子的専用装置であることを特徴とする。上記施錠・解錠機構６は、ハウジング内で所要の高さ位置を維持するための基板２１上に対し、前後の側壁面３２ａ，３２ａの互いに一直線上に一致する各位置に双方で一対の開口３３，３４を有するとともに、当該一対の開口３３，３４に上記収納ボックス２内等の被施錠機構の一部を成す係合体３を押圧操作し得るロック操作ピン３１を往復移動可能に収容して成るロック操作ガイド体３２を設け、上記後方側の側壁面３２ａもしくは上記基板２１上に対しバネ支持板３７を設け、当該バネ支持板３７と上記ロック操作ピン３１の上部側にあるバネ支持突起３８との間に水平コイルバネ３９を装着して当該ロック操作ピン３１を後方側へ引き付けるとともに、当該ロック操作ピン３１の後方側の平板３６を電気モータ２２の起動とともに間欠的に回転し得る間欠回転盤２３上の外周に近い位置に装着したスイッチ制御突起２５に対し付勢し、上記制御部１５からの制御信号に応じる上記電気モータ２２の起動で上記間欠回転盤２３とともに上記スイッチ制御突起２５に所要の回転運動の軌跡に沿った半回転の回転運動を行わせ、もって上記ロック操作ピン３１を上記水平コイルバネ３９の伸縮とともに上記収納ボックス２等の側面の開口８を通して前方移動乃至後方移動させ、上記ロック操作ピン３１の前方移動のときは当該ロック操作ピン３１の先端で上記係合体３を押圧して当該係合体３を上記収納ボックス２内の被施錠機構の他の一部を成す被係合体４に係合させ上記施錠状態を維持し、後方移動のときは上記係合体３を自ら側の復帰力で上記被係合体４との係合状態を解除させ上記解錠状態を維持させるようにしたことを特徴とする。
上記施錠・解錠機構６は、上記ロック操作ガイド体３２の左右に側壁面３２ｂ，３２ｂを設けるとともに揺動軸Ｐを介して基板２１上の揺動支持壁面３２ｃと関係させ、もって当該ロック操作ガイド体３２を当該揺動軸Ｐを支点に垂直前後の方向に揺動自在にし、かつ上記ロック操作ガイド体３２の上記後方側の側壁面３２ａに対し上バネ支持板４１を設けて上記基板２１上の下バネ支持板４２との間に垂直コイルバネ４３を装着し、上記水平コイルバネ４３を支持する上記バネ支持板３７の側方に対し上記ハウジング外方からの鍵５１の挿入を受付ける回転板５３付きの鍵受機構５２を設け、当該鍵５１の回転に伴って当該鍵受機構５２とともに回転する回転板５３に対し上記バネ支持板３７側に係合する解除突起５４を設け、上記鍵５１の回転で上記鍵受機構５２の上記回転体５３とともに上記解除突起５４に所定の回転運動の軌跡に沿った回転運動を行わせ、当該解除突起５４が上記ロック操作ガイド体３２を揺動させた場合、上記ロック操作ピン３１の後方側の平板３６と上記進退作動突起２４との係合関係を解除させ、もって上記水平コイルバネ３９の復帰力で上記ロック操作ピン３１を後方移動させるようにしたことを特徴とする。
上記施錠・解錠機構６は、上記基板２１上に対し上記間欠回転盤２３の周側面の一部に装着したスイッチ制御突起２５の押圧で作動するリミットスイッチ２６（２７）を設け、当該リミットスイッチ２６（２７）の作動で直接的に上記電気モータ２２の最適な回転位置及び上記ロック操作ピン３１の移動位置を認識し上記操作入力部１１の操作に対応すべく当該電気モータ２２の動作を制御するか、もしくは当該リミットスイッチ２６（２７）の作動で上記制御部１５に対し上記電気モータ２２の最適な回転位置及び上記ロック操作ピン３１の移動位置を認識させ、当該制御部１５に上記操作入力部１１の操作に対応すべく当該電気モータ２２の動作を制御させるようにしたことを特徴とする。
上記施錠・解錠機構６は、上記間欠回転盤２３の周囲に対し上記ロック操作ピン３１の施錠動作を検出するリミットスイッチ２６、及び上記ロック操作ピン３１の解錠動作を検出するリミットスイッチ２７を備えたことを特徴とする。
上記制御部１５は、上記操作入力部１１の操作に応じて所要数の収納ボックス２等毎の所要数の被施錠機構に対応する所要数の施錠・解錠機構６…の施錠動作、乃至解錠動作を任意に行えることを特徴とする。
上記操作入力部１１を介して上記制御部１５が上記画像表示部１２上に画像表示した操作フィールド８１上に書込む上記パスワードの登録を変更でき、当該パスワードの変更後においても当該操作フィールド７１内に表示された所要のボタン７４，７５をクリック操作等することで上記ロック、乃至アンロックの制御信号の出力を行えることを特徴とする。
【０００６】
以上のように構成された本発明にあって、キーボード、マウス機構、もしくはタッチパネル等の操作入力部１１の操作により画像表示部１２上に操作フィールド７１を画像表示してパスワードの入力フィールド７３に所要のパスワードを入力すると、制御部１５は、先ずあらかじめ登録された正規のパスワードとの一致の有無を判定した後、一致する場合、操作フィールド７１内のロックのボタン７５、もしくはアンロックのボタン７４がクリック操作等されるのを待つ。そして制御部１５は、ロックのボタン７５、もしくはアンロックのボタン７４がクリック操作等された場合、施錠・解錠ソフトに基づいて施錠・解錠機構６に対し当該クリック操作等に対応するロック、もしくはアンロックの制御信号を施錠・解錠機構６に対し出力して施錠・解錠機構６に施錠動作、もしくは解錠動作を行わせ、もって収納ボックス２等の被施錠機構を施錠状態、もしくは解錠状態にする。上記制御部１５を備えて成る装置がパーソナルコンピュータ（ＰＣ１）、ポケットコンピュータ等である場合、汎用の装置を利用することが可能であり、従って既に購入済みの装置で対応させ、一方、施錠・解錠用の特段の電子的専用装置を採用する場合も極簡単な低コストの装置で対応させる。
上記施錠・解錠機構６が電気モータ２２の回転に基づいて往復運動を行うロック操作ピン３１を介して上記収納ボックス２等の引出しボックス２ａ…の被施錠機構の施錠動作、または解錠動作を行うため、事務所等の室内に用いられる収納ボックス２やデスクの引出し等に適用することが可能であり、通常は固体状の鍵を使用する必要がない。
上記制御部から例えばロックの制御信号が入力された場合、電気モータ２２が起動を始め間欠回転盤２３を回転させ、間欠回転盤２３の回転とともに間欠回転盤２３上の進退作動突起２４に収納ボックス２に向う方向の回転運動の軌跡に沿った半回転の回転運動を行わせ、もって進退作動突起２４でロック操作ピン３１後方の平板３６を押し出し、これにより水平コイルバネ３９の収縮力に抗してロック操作ピン３１を収納ボックス２側面の開口８を通して前方移動させる。この結果、ロック操作ピン３１の先端が収納ボックス２内の被施錠機構の一部を成す係合体３を押圧して被施錠機構の他の一部を成す被係合体４に係合させ、収納ボックス２内の被施錠機構を施錠状態にする。一方、逆に制御部１５からアンロックの制御信号が入力された場合は、電気モータ２２が更に回転して間欠回転盤２３の回転とともに間欠回転盤２３上の進退作動突起２４に収納ボックス２から離れる方向に向う軌跡の半回転の回転運動を行わせ、もって水平コイルバネ３９の収縮力とともにロック操作ピン３１を収納ボックス２側面の開口８を通して後方移動させる。この結果、ロック操作ピン３１の先端を収納ボックス２内の被施錠機構の一部を成す係合体３から離れさせ、係合体３を自ら側の復帰力とともに復帰させて被係合体４との係合関係を解除させ、収納ボックス２内の被施錠機構を解錠状態にする。
停電等のため制御部１５を介さず被施錠機構を解錠させる場合は、鍵５１を鍵受機構５２に差込んで例えば右回転させ、これにより鍵受機構５２とともに回転体５３を右回転させ、回転体５３の解除突起５４でロック操作ガイド体３２の後方を押し上げる。このとき、ロック操作ガイド体３２は、揺動軸Ｐを支点に強制的に後方側を押し上げる揺動を行わせられてロック操作ピン３１の後方側の平板３６と上記進退作動突起２４との係合関係を解除し、もって後方に障害物の無くなったロック操作ピン３１を水平コイルバネ３９の復帰力で後方移動させ、収納ボックス２内の被施錠機構を解錠させる。しかる後、例えば電気モータ２２の起動で進退作動突起２４が収納ボックス２から離れる方向に回転運動した場合は、垂直コイルバネ４３の復帰力でロック操作ガイド体３２が揺動軸Ｐを支点に上述と逆の方向に揺動するため、再びロック操作ピン３１後方の平板３６と進退作動突起２４との係合関係が維持され通常の状態に戻る。
一方、間欠回転盤２３の回転で間欠回転盤２３の周側面の一部に装着したスイッチ制御突起２５がリミットスイッチ２６（２７）を作動させた場合は、直接的に電気モータ２２の最適な回転位置及びロック操作ピン３１の移動位置を認識して電気モータ２２の動作を停止させるか、もしくは当該リミットスイッチ２６（２７）の作動で制御部１５に対し電気モータ２２の最適な回転位置及びロック操作ピン３１の移動位置を認識させ、当該制御部１５に操作入力部１１の操作に対応すべく電気モータ２２の動作を停止させる制御を行わせる。
上記間欠回転盤２３の周囲に対しロック操作ピン３１の施錠動作を検出するリミットスイッチ２６、及びロック操作ピン３１の解錠動作を検出するリミットスイッチ２７を備えた場合、間欠回転盤２３の回転を確実に間欠的な回転に制御させるとともに、制御部１５に対しロック操作ピン３１の状態を支障なく確実に認識させる。
上記制御部１５には、配線工事を多様化することで、所要数の収納ボックス２…等毎の１つ乃至所要数の施錠・解錠機構６…の配設を認識させ、かつ操作入力部１１の種々の操作に応じて所要数の施錠・解錠機構６…の施錠動作、乃至解錠動作を行わせる。
上記操作入力部１１を介して上記制御部１５が上記画像表示部１２上に画像表示した操作フィールド７１（８１）上に書込む上記パスワードの登録を変更できるため、随時変更後の新しいパスワードでも当該操作フィールド７１内に表示された所要のボタン７４，７５のクリック操作等を有効にして安全に施錠・解錠機構６を作動制御させる。
【０００７】
【発明の実施の形態】
以下、図面を参照して本発明の一実施の形態を説明する。図１において、符号１はデスク型あるいはノート型のパーソナルコンピュータ（但し、ポケットコンピュータや施錠・解錠用に特段に構成した電子的専用装置等であっても良い）であり、本例の場合のように、収納ボックス（キャビネット）２の上面に置かれていたり、各種の事務作業を行う事務机の上面に置かれていたりしている。収納ボックス２は従来のものと同様であり、即ち内部には被施錠機構（図示せず）に係合するよう上下方向に沿って配された例えば一本の帯板状の係合体（図３乃至図５参照）３が揺動可能に配設されており、各引出しボックス２ａ，２ｂ，２ｃの側面側のうち当該係合体３側の側面側には、各々例えば三角突起状を成す被係合体（図３乃至図５参照）４が設けられている。後述する施錠・解錠機構６のロック操作ピン３１の前進移動で係合体３が収納ボックス２の内部の方向に揺動して係合体３が各引出しボックス２ａ，２ｂ，２ｃの側面側の各被係合体４に係合する場合、各引出しボックス２ａ，２ｂ，２ｃの引き出しにロックが掛かり、係合体３に対するロック操作ピン３１の解除によって係合体３に付設されている復帰バネ（図示せず）の弾発力で係合体３は解錠位置に復帰、待機するようになっている。尚、係合体３、被係合体４との係脱構成は図示例に限定されるものではなく、この種の収納ボックス２における各種の係合構造のものとすることが可能であるのは勿論である。
【０００８】
尚、係合体３は収納ボックス２の側部に、収納ボックス２の上下方向に沿って弾発的に揺動可能なものとした例えば適宜幅の帯状部材によって形成されているものであり、複数段に配置した引き出しボックス２ａ，２ｂ，２ｃそれぞれの側部に設けてある被係合体４に一括して係合することでそれらの全ての引き出しボックス２ａ，２ｂ，２ｃをロックするようにしてある従来からの一般的な施錠・解錠機構に適用可能なものである。本発明に係わる電子ロックシステムは、これらの一般的な施錠・解錠機構における被係合体４に対して揺動することで係合ロックし、逆に揺動復帰することで係合解除する上記の係合体３の揺動を遠隔制御することによって、ロック状態に、あるいはアンロック状態にするとしたものである。
【０００９】
即ち、収納ボックス体２の側面５において上記被施錠機構の近く、もしくは複数の係合体のうち最上方の係合体３等の近くには施錠・解錠機構６が装着されており、パーソナルコンピュータ（以下ＰＣと称する）１と施錠・解錠機構６とはケーブル７で電気的に接続されている。施錠・解錠機構６はＰＣ１からのロック、またはアンロックの制御信号により詳しくは後述するロック操作ピン（図３乃至図６参照）３１を前進及び後進の往復方向への移動を行わせ、かつその状態を維持させる。施錠・解錠機構６への電源供給は外部からの電源供給線９を直接に接続しても良く、あるいはＰＣ１からの配線（例えばケーブル７）から供給しても良い。尚、ケーブル７にはプリンタ接続用のシリアルケーブルとする場合に限らずＩＥＥＥあるいはＵＳＢの端子その他によるケーブル等を用いることもできる。
【００１０】
他方、詳しくは図示しないが、収納ボックス２における施錠・解錠機構６の装着位置の側の側面５には施錠・解錠機構６のロック操作ピン３１の往復移動用の開口８が形成されており、ロック操作ピン３１が開口８を通過する前進方向の移動で停止した場合は接触関係のある係合体３を押し回して収納ボックス２の中心の方向へ揺動（図２に実線で示す）させ、係合体３と収納ボックス２の各被係合体４…との係合関係を生じさせ各引出しボックス２ａ，２ｂ，２ｃのロック状態（引き出し不能状態）を維持する。ロック操作ピン３１が逆の移動で停止した場合は係合体３が自らの復帰力で復帰し、各被係合体４との係合関係を解除することで、各引出しボックス２ａ，２ｂ，２ｃのアンロック状態を維持する。
【００１１】
ＰＣ１は、図２にも示すように、キーボード、マウス機構等の操作入力部１１、乃至は例えば操作入力部としてのタッチパネルを備える画像表示部１２、施錠・解錠機構６に対するロック、またはアンロックの制御信号の送信の認可または拒否の基準となる情報であるパスワードを記憶するパスワード記憶部１３、及び当該パスワード及び操作入力部１１（乃至はタッチパネル）の操作入力に基づいてロック、またはアンロックの制御信号を出力させるためのソフトウエアや、パスワード登録や変更を行うためのソフトウエアが記憶された施錠・解錠ソフト記憶部１４を備えており、かつ並びに、操作入力部１１（乃至はタッチパネル）の操作入力、パスワード、及び上記ソフトウエアに基づいてロック、またはアンロックの制御信号を出力したり、パスワードの変更、乃至はパスワードの追加登録等を行う制御部（ＣＰＵ）１５とを少なくとも主要部として備えて構成されている。
【００１２】
一方、施錠・解錠機構６は、図１、及び図３乃至図５に示すように、外観的にはハウジングで直方体状に構成されており、内部には基板２１の裏面側に水平方向の回りに回転する電気モータ（図４に点線で表示）２２を備えており、収納ボックス２における内部の係合体３を収納ボックス２外部から操作可能な位置である収納ボックス２の側壁外側面に設置固定されている。電気モータ２２はＰＣ１からのロック、またはアンロックの制御信号で起動し間欠回転盤２３を間欠回転させる。電気モータ２２の起動を停止させるのは後述するリミットスイッチ２６，２７の作動によるＰＣ１からの電気モータ２２を停止させる制御信号の出力（但し、制御信号の遮断により電気モータ２２の回転を停止させても良い）である。詳しくは図示しないが、電気モータ２２の上方側には、基板２１の開口（図示せず）を通して上方に突出し電気モータ２２の起動とともに回転する間欠回転盤２３が備えられている。電気モータ２２の回転軸（図示せず）と間欠回転盤２３の回転軸（図示せず）とは互いに位置的に一致する位置にはないが、詳しくは図示しない歯車やベルト（図示せず）等で連結されているため、双方２２，２３は同時に回転するものである。間欠回転盤２３上面で外周に近い側の一点の位置には少なくとも一部が円柱状を成す進退作業突起２４が設けられており、間欠回転盤２３の外側面で進退作業突起２４と９０度直角を成す方向の一点の位置にも少なくとも天面側の縁に丸みを有するスイッチ制御突起２５が設けられている。
【００１３】
間欠回転盤２３に対し収納ボックス２側からみた左右の位置（互いに間欠回転盤２３上面の中心を通る半径線に一致する直線上の左右に位置する）にはリミットスイッチ２６，２７が配設されており、間欠回転盤２３の側面のスイッチ制御突起２５が接触した場合、リミットスイッチ２６，２７から電気モータ２２を停止させる出力が成され上述の如く結果的には電気モータ２２を停止させる。本例では一方のリミットスイッチ２６は施錠を知らせる施錠リミットＳＷであり、他方のリミットスイッチ２７は解錠を知らせる解錠リミットＳＷであり、双方ともに作動時にＰＣ１に対し出力を行って施錠・解錠機構６の状態を確認させ、ＰＣ１から電気モータ２２を停止させる処理（例えば停止を示す制御信号の出力）を行わせる。但し、リミットスイッチ２６，２７の出力で直接に電気モータ２２の起動を停止させても良い。尚、電気モータ２２に例えばステッピングモータを採用して制御部１５側でロック、アンロックに係わる回転角度を制御させるようにしても良い。即ち、間欠回転盤２３の１回転はロック操作ピン３１を１往復させるようにしてあることに関連して前進突出させるよう往復させた位置、後退没入させるよう復帰させた位置それぞれで停止されるように、リミットスイッチ２６，２７が制御しているのである。
【００１４】
一方、基板２１上で間欠回転盤２３の位置と収納ボックス２に接する側のハウジング側面２８との間には、上方が開放された側断面から見て上方を向くコ字状の構成を成すロック操作ガイド体３２が揺動自在に配設されており、ロック操作ガイド体３２の互いの前後の側壁面３２ａ、３２ａの互いを一直線上を成して突き抜ける位置にはロック操作ピン３１を遊挿させる開口（図６（Ａ）、（Ｂ）参照）３３，３４が形成されている。ロック操作ガイド体３２が揺動自在になるのは、ロック操作ガイド体３２の左右の側壁面３２ｂ、３２ｂが外側の揺動支持壁面３２ｃ、３２ｃに対し揺動軸Ｐにより軸止め（軸の遊挿連結）が成されているからである。ロック操作ガイド体３２のロック操作ピン３１の先端側はハウジング側面２８の開口３５から若干外方（即ち収納ボックス２の開口８の方向）に突出するものであるが、後端側には平板３６が設けられており、この平板３６が間欠回転盤２３の上面上の進退作業突起２４に常時接し得るようになっている。
【００１５】
間欠回転盤２３の上面上の進退作業突起２４とロック操作ピン３１の平板３６とが常時接し得るという構成を実現するのは、１つにはロック操作ガイド体３２の前後の側壁面３２ａ，３２ａのうち間欠回転盤２３側の壁面３２ａに接続固定されロック操作ピン３１の後端の平板３６の方向に所要寸法分延びて上方を向くバネ支持板３７と、ロック操作ピン３１の上面側で例えば略中心側の位置に直立して差込まれたバネ支持突起（尚、このバネ支持突起の下方に突出する部分は図示しない左右の直線状のガイド間に沿って移動することでロック操作ピン３１の往復移動に直進性を与える）３８との間に水平コイルバネ３９を係止し、この水平コイルバネ３９の収縮力でロック操作ピン３１を間欠回転盤２３の方向へ略平行に引き付けるという構成からである。もう１つにはロック操作ガイド体３２の後方側の側壁面３２ａに接続固定され間欠回転盤２３の方向へ略平行に延びる上バネ支持板４１と基板２１上に固定された下バネ支持板４２との間に垂直コイルバネ４３を係止し、この垂直コイルバネ４３の収縮力でロック操作ピン３１の水平姿勢を保つという構成からである。
【００１６】
また一方、施錠・解錠機構６には、図３乃至図５に示すように、固体状の鍵（図６（Ａ）、（Ｂ）参照）５１の鍵受機構５２が配設されている。鍵受機構５２には鍵５１の挿入回動とともに回動する回転板５３が装着されており、回転板５３のハウジング内方を向く側面側にはバネ支持板３７を上方へ回動させ得る棒状の解除突起５４が配設されている。例えば停電状態等でＰＣ１からアンロックの制御信号を出力することができない場合でも鍵５１を鍵受機構５２に差込操作すれば、図６（Ａ）の状態から同図（Ｂ）の状態に示すように回転板５３とともに解除突起５４が回動してロック操作ガイド体３２を図示右回りの方向に揺動させ、ロック操作ピン３１後端の平板３５と間欠回転盤２３上の進退作業突起２４との係合接触の関係を解除させるため、ロック操作ピン３１の押えとなる部材が無くなって水平コイルバネ３９の収縮力でロック操作ピン３１が引き戻されることになり、この結果として収納ボックス２内の各係合体３と各被係合体４との係合関係も解除されることになり、このため収納ボックス２が解錠されるようにしてある。
【００１７】
次に、図７を参照して本実施の形態の使用の一例について説明する。施錠・解錠機構６が施錠の状態にあり、これを解錠する場合について説明すると、先ずステップ７０１において、図１０（Ａ）に示すような操作フィールド７１を画像表示部１２上に画像表示させるとともに、例えばキーボード等の操作入力部１１の操作でパスワードの記入領域に所定のパスワードを入力する。すると、ステップ７０２において、今回入力されたパスワードが既に登録済みの正規のパスワードに一致するか否かが判定される。ここで今回のパスワードが一致しないと判定された場合、ステップ７０３へ進んで、詳しくは図示しないが操作フィールド７１内の例えば表示フィールド７２に例えば「パスワードが違います」というメッセージが表示される。このためステップ７０４において、再度、例えばキーボード等の操作入力部１１の操作でパスワードの記入フィールド７３に所定のパスワードを入力し直す。
【００１８】
かくてステップ７０２において、今回のパスワードが正規のパスワードに一致したと判定された場合、ステップ７０５において、アンロックのボタン７４をクリック等することでリミットスイッチ２７即ち解錠リミットＳＷがＯＮ状態にあるか否かを判定し、ここで解錠リミットＳＷがＯＮ状態になるまでステップ７０６のモータＯＮ（即ち電気モータ２２の回転）を継続して続けるべくアンロックの制御信号が出力される。解錠リミットＳＷがＯＮ状態になった場合、ステップ７０７へ進んで、モータＯＦＦを実行する制御信号が出力され、これをもって電気モータ２２を停止させ、ロック操作ピン３１を水平コイルバネ３９の収縮力で後退移動させた状態に停止させる。この状態に至ると、収納ボックス２内の係合体３が一体の状態のままで自らの復帰力により揺動して各引出しボックス２ａ，２ｂ，２ｃ側の各被係合体４…から離れるため、収納ボックス２の解錠動作が成される結果となる。
【００１９】
続いてステップ７０８において、図１０（Ｂ）に示すように画像表示部１２上の操作フィールド７１の表示フィールド７２に例えば「外しました」とのメッセージを表示させ、かつステップ７０９において、今回の作業状態をログファイルに記録すると、本フローを終了する。尚、解錠する場合、パスワードを入力して保存する項目にチェックを入れた後に図１０（Ｂ）に示すアンロックのボタン７４を例えばクリックすることで施錠・解錠機構６を解錠状態に設定するアンロックの制御信号が出力されることになり、上述の動作が行われて収納ボックス体２の解錠動作が行われる。
【００２０】
次に、図８を参照して施錠・解錠機構６を上述の如く解錠の状態にしてあることを前提にし、これを施錠に切換える場合について説明する。先ずステップ８０１において、操作入力部１１の操作により画像表示部１２上に画像表示された操作フィールド７１のロックのボタン７５を例えばクリックし、一旦ステップ８０２において、リミットスイッチ２６即ち施錠リミットＳＷがＯＮ状態にあるか否かを判定する。ここで施錠リミットＳＷがＯＮ状態にない場合、ステップ８０３へ進んで、モータＯＮ即ち施錠・解錠機構６に対しロックの制御信号を出力して電気モータ２２とともに間欠回転盤２３を回転させる。この処理は解錠リミットＳＷがＯＮ状態になるまで継続して続けるべく行われる。
【００２１】
かくて解錠リミットＳＷがＯＮ状態になった場合、ステップ８０４へ進んで、モータＯＦＦを実行する制御信号が出力され、これをもって電気モータ２２を停止させ、ロック操作ピン３１を水平コイルバネ３９の収縮力に抗して前進移動させた状態に停止させる。この状態に至ると、収納ボックス２内の各係合体３…が一体の状態のままで自らの復帰力に抗して上述とは逆方向に揺動して各引出しボックス２ａ，２ｂ，２ｃ側の各被係合体４…に係合する状態となるため、収納ボックス２の施錠動作が成される結果となる。続いてステップ８０５において、図１０（Ａ）に示すように画像表示部１２上の表示フィールド７２に例えば「鍵をしました」とのメッセージ、即ち具体的には図示の如く例えば「鍵のチェック」及び例えば「鍵をかけました」とのメッセージを同時に表示させ、かつステップ８０６において、今回の作業状態をログファイルに記録すると、本フローを終了する。
【００２２】
次に、図９を参照してパスワードの変更を行う際の処理について説明する。先ずステップ９０１においては、操作入力部１１の操作で図１１に示すようにパスワード変更用の操作フィールド８１を画像表示した後、旧パスワードの記入フィールド（即ち現在のパスワードの記入フィールド）８２に旧パスワードを記入する。すると、ステップ９０２において、旧パスワードが正規のパスワードに一致するか否かを判定して、ここで旧パスワードの記入に誤りがある場合、ステップ９０３へ進んで、詳しくは図示しない表示フィールドに例えば「パスワードが違います」というメッセージを表示させ、かつステップ９０４に進んで、再度、現在のパスワードの記入フィールド８２に旧パスワードの記入の再実行を行わせるのである。
【００２３】
かくてステップ９０２において、旧パスワードが規定のパスワードに一致することが判定された場合、ステップ９０５において、新しいパスワードの記入フィールド８３に新たなパスワードを入力する。続いてステップ９０６において、確認用再入力の記入フィールド８４に新しいパスワードの記入を行うことで新パスワードの確認処理を行う。続いてステップ９０７において、新しいパスワードの記入が確認ＯＫであるか否かを判定し、確認ＯＫでない場合はステップ９０６へ戻って新しいパスワードの記入フィールド８３に対し新しいパスワードの確認入力を行い、再びステップ９０７において、新パスワードが確認ＯＫであるか否かを判定する。この結果、新パスワードの確認ＯＫが判定した場合は、ステップ９０８において今回の新パスワードの登録処理を実行した後、ステップ９０９において、詳しくは図示しない操作フィールド８１の所要の表示フィールドに例えば「新パスワードを登録しました」とのメッセージを画像表示し、かつステップ９１０において、ログファイルに今回の内容を記録すると本フローを終了する。
【００２４】
ところで、ログファイルの具体例としては、例えば図１２に示すように、日付を記録する日付欄９１、時刻を記録する時刻欄９２、利用状態（即ちＬｏｃｋか、Ｕｎｌｏｃｋかのいずれの状態にあるかを示す）を記録する利用状態欄９３、パスワード保存の有無を記録したり、利用状態の確認を記録したりするパスワード保存欄９４、例えば保管あるいは取り出す書類名、取扱い者その他を自由に記入しておくようｍｅｍｏ（連絡事項、変更事項等のメモ）を記録するメモ欄９５等の項目を縦に羅列して例えば表形式に記録する形態がある。
【００２５】
尚、操作フィールド８１に複数のパスワード（図示せず）を記入できる複数の記入フィールド（図示せず）を画像表示するか、複数のパスワードを順次に記憶すれば、例えば外部から派遣された作業員、アルバイト、パートの人員用の種々異なるパスワードを記入することで適切な施錠・解錠の種々の区分、乃至は複数の施錠・解錠の種々の区分（即ち各人員に対応する施錠、解錠許可の区分け）をすることが可能となる。
【００２６】
尚一方、本実施の形態においては、１つのＰＣ１（乃至は、ポケットコンピュータや施錠・解錠用に特段に構成した電子的専用装置等であっても良い）を用いて１台の収納ボックス２の施錠、解錠を行う場合について説明したが、本発明の要旨はこれに限定されるものではなく、１台のＰＣ１等で複数台の収納ボックス２…の施錠、解錠を制御することも可能であり、しかも１台の収納ボックス２の各引出しボックス２ａ…等の施錠、解錠を個別に制御するようにすることも可能である。また１台のＰＣ１等に組織内部の資格や職位、アルバイト、パート毎等に異なるパスワードを登録させ、各パスワード毎に施錠、解錠の制限を与えるように構成することも可能である。また上記被施錠機構が回転乃至回動運動を行って施錠、解錠を行う場合、施錠・解錠機構が電気モータの回転に基づいて回転運動、乃至は回動の往復運動に変換する回動体（図示せず）を構成して当該被施錠機構の施錠動作、または解錠動作を制御するとともに、必要に応じてリミットスイッチ（図示せず）を介し当該電気モータの回転、停止を制御するように構成しても良い。
【００２７】
【発明の効果】
本発明は、以上のように構成されているために、固体状の鍵の管理を殆ど行う必要がなく鍵の管理に関する負担を軽減して無駄な労力を低減し、その分、所定の団体や企業内での内部処理の効率を向上させ、特に、多くの様々な人員を要する所要の団体や企業内での機密情報等の保護を労せず確実に管理できるという観点からも進歩的に有益性を発揮するという効果がある。
【００２８】
即ち、これは本発明において、操作入力部１１を介するパスワードの入力、及びロック、アンロックの操作指令の入力に対応して、パスワードの正誤の認識等に基づいてロック、またはアンロックの制御信号を出力する制御部１５と、当該制御信号の入力に基づいて収納ボックス２やデスクの引出し等の施錠動作、解錠動作を行う施錠・解錠機構６とを備えて成るからであり、これによって、従来使用していた固体状の鍵の管理を一箇所の内密な場所に管理しておけば、後は殆ど鍵の管理に関する負担を軽減して無駄な労力を低減することができ、その分、所定の団体や企業内での内部処理の効率向上に専念することができ、結果として多くの様々な人員を要する所要の団体や企業内での機密情報等の保護を労せず確実に管理できるという利点が得られるのであり、例えば責任ある立場、職位の人のみが施錠、解錠を極簡単に管理するということも可能となり、もって他の人の余計な関与を完全に断ち切りこの観点からも進歩的に有益性を発揮するという効果があるのである。
【００２９】
また本発明にあっては、画像表示部１２上に解錠、施錠に関する操作フィールド７１を画像表示してパスワードの正誤を制御部１５が判定した後、操作フィールド７１内のロックのボタン７５、アンロックのボタン７４のクリック等を行うことで施錠・解錠機構６に対しロック、またはアンロックの制御信号を出力して収納ボックス２等の被施錠機構の施錠、解錠を制御するように構成したため、上述の如く鍵の管理状況が仮に曖昧であったとしても、鍵を使用せず施錠、解錠を必要に応じて自由に行うことができ、上述の効果に加えて、管理責任等のある人の行動に余計な制約（鍵取得の手続き等）を与えず信頼できる個々人の行動と責任に対しより重責感が増し作業意欲、労働意欲の向上にも繋がる利点がある。
【００３０】
上記制御部１５を備えて成る装置がパーソナルコンピュータ（ＰＣ１）、ポケットコンピュータ等である場合、汎用の装置を利用することが可能であるため、コスト的にも大きな負担が掛からず、しかも施錠・解錠用の特段の電子的専用装置を構成し採用する場合であっても極簡単な構成の低コストな装置で対応することが可能であり、費用の面からも有益である効果がある。
【００３１】
施錠・解錠機構６は、ロック乃至アンロックの制御信号で電気モータ２２が間欠回転盤２３を間欠回転させ、間欠回転盤２３上の進退作動突起２４に収納ボックス２に向う方向の回転運動の軌跡に沿った半回転の回転運動を行わせ、もって進退作動突起２４でロック操作ピン３１を押して前進移動させ、ロック操作ピン３１の先端で収納ボックス２内の被施錠機構の係合体３を押圧して被係合体４に係合させたり、更に間欠回転盤２３の間欠回転とともに進退作動突起２４に収納ボックス２から離れる方向に向う軌跡の半回転の回転運動を行わせ、もってロック操作ピン３１を後進移動させ、係合体３と被係合体４との係合関係を解除させたりするため、収納ボックス２の被施錠機構を確実に施錠させたり解錠させたりすることができ、動作に対する信頼性、及び寿命に対する信頼性が高く、かつより多くの固体状の鍵を一括して労せず管理することに対する信頼性を高め、個々人の責任感とともに社内の機材や機密情報の保護に対する信頼性を確実のものとする効果がある。
【００３２】
また、施錠・解錠機構６は、鍵５１を鍵受機構５２に差込んで例えば右回転させると、鍵受機構５２の回転体５３とともに解除突起５４でロック操作ガイド体３２の後方を押し上げ、もってロック操作ガイド体３２を揺動軸Ｐを支点に強制的に後方側を押し上げる揺動を行わせることで、ロック操作ピン３１を後方移動させることもできるため、例えば停電等においても収納ボックス２の被施錠機構を容易に解錠することができ、上述の効果に加えて、更に電子ロックシステムの利便性及び信頼性を高める効果がある。
【００３３】
一方、間欠回転盤２３の回転で間欠回転盤２３の周側面の一部に装着したスイッチ制御突起２５がリミットスイッチ２６（２７）を作動させた場合は、直接的に電気モータ２２の最適な回転位置及びロック操作ピン３１の移動位置を認識して電気モータ２２の動作を停止させることもできるため、施錠・解錠機構６の動作性能を向上させ、しかも長寿命に対する信頼性をも向上させ、上述した利点をより確かなものとするという効果がある。
【００３４】
上記間欠回転盤２３の周囲に対しロック操作ピン３１の施錠動作を検出するリミットスイッチ２６、及びロック操作ピン３１の解錠動作を検出するリミットスイッチ２７を備えた場合、間欠回転盤２３の回転を確実に間欠的な回転に制御させるとともに、施錠・解錠機構６内もしくは制御部１５に対しロック操作ピン３１の状態を支障なく確実に認識させることができ、より動作の信頼性を高めることができる。
【００３５】
上記制御部１５には、配線工事を多様化することで、所要数の収納ボックス２…等毎の１つ乃至所要数の施錠・解錠機構６…の配設を認識させ、かつ操作入力部１１の種々の操作に応じて所要数の施錠・解錠機構６…の施錠動作、乃至解錠動作を行わせることも可能であり、この場合、鍵の管理に拘わらず、より効率的に多くの収納ボックス２等の施錠・解錠の管理を行うことができ、広く利便性を発揮することができる。
【００３６】
上記操作入力部１１を介して上記制御部１５が上記画像表示部１２上に画像表示した操作フィールド７１（８１）上に書込む上記パスワードの登録を変更できるため、パスワードの盗用を避ける意味でも価値的であり、しかも当該パスワードの変更後においても当該操作フィールド７１内に表示された所要のボタン７４，７５をクリック操作等することで簡単に施錠・解錠機構６を作動制御することができ、従って定期的、非定期的に随時新たなパスワードに更新して常に高い安全性のもとに収納ボックス２等の施錠・解錠を制御することができ、システムの信頼性を向上させる効果がある。
【図面の簡単な説明】
【図１】本発明の一実施の形態の外観を示す斜視図である。
【図２】同じく主要部の構成を示すブロック図である。
【図３】同じくハウジングを一部切欠した状態の収納ボックス及び施錠・解錠機構の要部構成をロック操作ピンの往復移動の状態をも含めて示す上面図である。
【図４】同じくハウジングを一部切欠した状態の収納ボックス及び施錠・解錠機構の要部構成をロック操作ピンの前進移動（施錠移動）の状態を含めて示す上面図である。
【図５】同じくハウジングを一部切欠した状態の収納ボックス及び施錠・解錠機構の要部構成をロック操作ピンの後退移動（解錠移動）の状態を含めて示す上面図である。
【図６】同じく施錠・解錠機構の物体状の鍵で解錠動作を行う最の状態を説明する要部構成図であり、（Ａ）は解錠前の状態、（Ｂ）は解錠後の状態を説明する要部構成図である。
【図７】同じく解錠する場合の一例を説明するフローチャートである。
【図８】同じく施錠する場合の一例を説明するフローチャートである。
【図９】同じくパスワードを変更する場合の一例を説明するフローチャートである。
【図１０】同じく画像表示部に画像表示される操作フィールドを説明する正面図であり、（Ａ）は施錠を指示した状態、（Ｂ）は解錠を指示した状態を説明する正面図である。
【図１１】同じく画像表示部に画像表示される他の操作フィールドに対しパスワード変更を入力した状態を説明する正面図である。
【図１２】同じくログファイルの一例を示す表である。
【符号の説明】
１…パーソナルコンピュータ            ２…収納ボックス
２ａ…引出しボックス                  ２ｂ…引出しボックス
２ｃ…引出しボックス                  ３…係合体
４…被係合体                          ５…側面
６…施錠・解錠装置                    ７…ケーブル
８…開口                              ９…電源供給線
１１…操作入力部                      １２…画像表示部
１３…パスワード記憶部                １４…施錠・解錠ソフト
１５…制御部
２１…基板                            ２２…電気モータ
２３…間欠回転盤                      ２４…進退作動突起
２５…スイッチ制御突起                ２６…リミットスイッチ
２７…リミットスイッチ                ２８…ハウジング側面
３１…ロック操作ピン                  ３２…ロック操作ガイド体
３２ａ…側壁面                        ３２ｂ…側壁面
３２ｃ…揺動支持壁面                  ３３…開口
３４…開口                            ３５…開口
３６…平板                            ３７…バネ支持板
３８…バネ支持突起                    ３９…水平コイルバネ
４１…上バネ支持板                    ４２…下バネ支持板
４３…垂直コイルバネ
５１…鍵                              ５２…鍵受機構
５３…回転板                          ５４…解除突起
７１…操作フィールド                  ７２…表示フィールド
７３…記入フィールド                  ７４…ボタン
７５…ボタン
８１…操作フィールド                  ８２…記入フィールド
８３…記入フィールド                  ８４…記入フィールド
Ｐ…揺動軸
９１…日付欄                          ９２…時刻欄
９３…利用状態欄                      ９４…パスワード保存欄
９５…メモ欄
【図１】
2004190351.tif 000003
【図２】
2004190351.tif 000004
【図３】
2004190351.tif 000005
【図４】
2004190351.tif 000006
【図５】
2004190351.tif 000007
【図６】
2004190351.tif 000008
【図７】
2004190351.tif 000009
【図８】
2004190351.tif 000010
【図９】
2004190351.tif 000011
【図１０】
2004190351.tif 000012
【図１１】
2004190351.tif 000013
【図１２】
2004190351.tif 000014